(57)【要約】【課題】  自転車等における装着対象の形状、構成等にかかわらず装着が容易であり、しかも美観付与のための装飾を施し易くした耐風水性お守りを提供する。【解決手段】  両端部１ａ、１ｂが密閉された可撓性透明チューブ部材１と、前記透明チューブ部材１の両端部１ａ、１ｂに設けられると共に前記両端部１ａ、１ｂを脱着可能に互いに連結する連結具２ａ、２ｂと、前記透明チューブ部材１の空洞内に、該透明チューブ部材１の外側から視認可能に封入された可撓性芯部材３と、前記芯部材３に、前記透明チューブ部材１の外側から視認可能に設けられた守り札４とから構成される。【選択図】  図１
0003202970.tif 000002
【実用新案登録請求の範囲】
【請求項１】
両端部（１ａ、１ｂ）が密閉された可撓性透明チューブ部材（１）と、前記透明チューブ部材（１）の両端部（１ａ、１ｂ）に設けられると共に前記両端部（１ａ、１ｂ）を脱着可能に互いに連結する連結具（２ａ、２ｂ）と、前記透明チューブ部材（１）の空洞内に、該透明チューブ部材（１）の外側から視認可能に封入された可撓性芯部材（３）と、前記芯部材（３）に、前記透明チューブ部材（１）の外側から視認可能に設けられた守り札（４）とからなる耐風水性お守り。
【請求項２】
前記芯部材（３）が可撓性芯材（３ｃ）とそれを覆う装飾性シート材（３ｄ）とからなる請求項１に記載の耐風水性お守り。
【請求項３】
前記芯材（３ｃ）が編み紐からなり、前記シート材（３ｄ）がバイアス布材からなる請求項２に記載の耐風水性お守り。
【請求項４】
前記透明チューブ部材（１）の各端部（１ａ、１ｂ）が該透明チューブ部材（１）の本体側に折り返された状態で鳩目鋲（５ａ、５ｂ）により該本体に挟圧固定され、それによって前記端部（１ａ、１ｂ）が密閉されるようにした請求項１に記載の耐風水性お守り。
【考案の詳細な説明】
【技術分野】
【０００１】
本考案は、自転車等の一部に巻き付け、或いは巻き掛けて装着する耐風水性お守りに関する。
【背景技術】
【０００２】
自転車等に用いるお守りとして、塩化ビニールを素材とする帯状のシートの中央に守り札を配し、上から３つに分かれた塩化ビニールシートを乗せ、それを高周波加熱パック処理してなり、自転車のハンドルやフレーム等の円筒形の部分に巻き付け、止め具を用いて装着するようにしたものが特許文献１に開示されている。
【０００３】
前記お守りは、守り札が上下の塩化ビニールシート間に封入されていることから耐風水性を備えている点において、身体に付する通常のお守りとは相違し、風水に曝され易い自転車等への装着には好適とされている。
【０００４】
しかしながら、従来の前記耐風水性お守りは、平坦、幅広の帯状を呈することから装着対象の形状、構成等が限定され易いこと、美観付与のための装飾を施し難いこと等の問題があった。
【先行技術文献】
【特許文献】
【０００５】
【特許文献１】実開平８−３９４号公報
【考案の概要】
【考案が解決しようとする課題】
【０００６】
本考案の課題は、前記従来技術の問題点に鑑み、自転車等における装着対象の形状、構成等にかかわらず装着が容易であり、しかも美観付与のための装飾を施し易くした耐風水性お守りを提供することにある。
【課題を解決するための手段】
【０００７】
請求項１に記載の耐風水性お守りは、両端部が密閉された可撓性透明チューブ部材と、前記透明チューブ部材の両端部に設けられると共に前記両端部を脱着可能に互いに連結する連結具と、前記透明チューブ部材の空洞内に、該透明チューブ部材の外側から視認可能に封入された可撓性芯部材と、前記芯部材に、前記透明チューブ部材の外側から視認可能に設けられた守り札とからなるものである。
【０００８】
前記耐風水性お守りは、透明チューブ部材を、例えば自転車のハンドルバーやハンドルステム等の種々の装着対象に巻き付け或いは巻き掛けると共に、該透明チューブ部材の両端部を連結具により脱着可能に連結することにより装着される。
【０００９】
前記守り札は、芯部材と共に透明チューブ部材の空洞内に封入されているので、外部の風水に曝されることなく保護され、しかも前記透明チューブ部材の外側から芯部材と共に視認可能とされている。前記透明チューブ部材は、空洞内の守り札や芯部材を紫外線から保護するために紫外線遮蔽性を有していてもよい。
【００１０】
前記守り札は、例えば厄除け、安全、招福、加護その他の種々の願い事を象ったものであり、種類、材質、全体形状、構成等に特別の限定はなく、例えば、前記芯部材の表面に巻き付けて貼着し得る紙材等のシート状のものであってもよい。
【００１１】
前記芯部材は、前記透明チューブ部材の空洞内に、前記守り札を支持しつつ封入可能であり且つ該透明チューブ部材と一体に曲げ伸ばし可能なものであれば、その材質、断面形状、構成等に特別の限定はない。前記芯部材には、必要に応じて、種々の着色、模様、発光等の装飾が施される。
【００１２】
前記芯部材は、例えば、紙材、布材、プラスチック材、金属等の可撓性材料から形成されていてもよいが、さらに、請求項２に記載のように、前記のような材料からなる可撓性芯材と、それを覆う、種々の着色、模様、発光等の装飾が可能な紙材、布材、プラスチック材等で形成された装飾性シート材とからなるものであってもよく、さらに具体的には、例えば、請求項３に記載のように、前記芯材が組紐その他の編み紐からなり、前記シート材がバイアス布材からなるパイピング紐のようなものであってもよい。
【００１３】
前記透明チューブ部材の両端部の密閉構成としては、一般にチューブ部材を封止する公知の手段、例えば、チューブ部材の封止予定個所を外側から挟圧して該封止予定個所の空洞を閉塞させる手段やチューブ部材における封止予定個所の空洞を溶着、接着剤による接着や栓等で閉塞させる手段等が採用可能であるが、さらに別の密閉構成として、例えば、請求項４に記載のように、前記透明チューブ部材の各端部が該透明チューブ部材の本体側に折り返された状態で鳩目鋲により該本体に挟圧固定され、それによって前記端部が密閉されるようにしたものであってもよい。
【００１４】
また、前記連結具としては、その種類、構成、着脱方式等に特別の限定はないが、装着対象に対して頻繁に着脱するような耐風水性お守りの使用態様の場合は、例えば、着脱操作の容易なクイックリリース式のバックルが好適である。
【考案の効果】
【００１５】
請求項1に係る考案によれば、守り札が、芯部材と共に透明チューブ部材の空洞内に該透明チューブ部材の外側から視認可能に封入されているので、外部の風水に曝されることなく保護されること、前記芯部材に、透明チューブ部材の外側から視認可能に種々の装飾を施すことができること、また装着対象への装着に際して、可撓性透明チューブ部材を装着対象に巻き付け或いは巻き掛けるので、装着対象の形状、構成等にかかわらず装着が容易であること等の作用効果を奏する耐風水性お守りを提供することができる。
【００１６】
請求項２に係る考案によれば、着色、模様、発光等の装飾が施された装飾性シート材を用いることにより、芯部材に、透明チューブ部材の外側から視認可能に種々の装飾を容易に施すことができる。
【００１７】
請求項３に係る考案によれば、芯部材として、装飾性に優れた公知のパイピング紐と同様の構成を採用することができる。
【００１８】
請求項４に係る考案によれば、透明チューブ部材の各端部の折り返しによって形成された各環状部を利用し、該環状部にバックル等の連結具の鐶部を鎖状に容易に取り付けることができる。
【図面の簡単な説明】
【００１９】
【図１】図１（Ａ）及び（Ｂ）は、本考案に係る耐風水性お守りの一例の各々正面図及びＩ−Ｉ線切断部拡大端面図である。
【考案を実施するための形態】
【００２０】
本考案に係る耐風水性お守りＭは、図１（Ａ）及び（Ｂ）に示すように、両端部が密閉された長さ１９０ｍｍ、内径６ｍｍ、外径８ｍｍのプラスチック製の可撓性透明チューブ部材１と、前記透明チューブ部材１の両端部１ａ、１ｂに設けられると共に前記両端部１ａ、１ｂを脱着可能に互いに連結する連結具２ａ、２ｂと、前記透明チューブ部材１の空洞内に、該透明チューブ部材１の外側から視認可能に封入された可撓性芯部材３と、前記芯部材３に、前記透明チューブ部材１の外側から視認可能に設けられた守り札４とから構成される。
【００２１】
前記耐風水性お守りＭは、その使用に際して、透明チューブ部材１を、装着対象として例えば自転車のハンドルステム等に巻き付け或いは巻き掛けると共に、該透明チューブ部材１の両端部１ａ、１ｂを連結具２ａ、２ｂにより脱着可能に連結することにより装着される。
【００２２】
前記透明チューブ部材１の各端部１ａ、１ｂは、該透明チューブ部材１の本体側に約２０ｍｍの長さで折り返された状態で頭径９ｍｍの鳩目鋲５ａ、５ｂにより該本体に挟圧固定され、それによって前記端部１ａ、１ｂが密閉されている。前記透明チューブ部材１の各端部１ａ、１ｂには、その折り返しによって形成された各環状部１ａ1、１ｂ1に、互いに嵌合、脱着可能なプラスチック製のフロントクイックリリース式の雄側バックル及び雌側バックルからなる連結具２ａ、２ｂの各鐶部２ａ1、２ｂ1が係合されている。
【００２３】
なお、前記透明チューブ部材１のサイズや各端部１ａ、１ｂの密閉構成等は、前記実施例に限定されるものではなく、また前記連結具２ａ、２ｂの構成や前記透明チューブ部材１の各端部１ａ、１ｂへの取付け構成等についても、前記実施例に限定されるものではない。
【００２４】
前記芯部材３は、長さ１１５ｍｍ、外径３ｍｍの１６打洞芯の組紐からなる芯材３ｃと、それに被覆され、シール貼着された長さ１２５ｍｍのちりめん生地のバイアス布材からなるシート材３ｄから形成され、前記シート材３ｄには紙材からなる縦長さ２０ｍｍのシート状の守り札４が巻回され、貼着されている。
【００２５】
なお、前記芯部材３のサイズや構成等は、前記実施例に限定されるものではなく、また前記芯材３ｃ及びシート材３ｄのサイズ、材質、構成等についても、前記実施例に限定されるものではない。また、前記守り札４の種類、サイズ、材質、全体形状、構成等についても、前記実施例に限定されるものではない。
【符号の説明】
【００２６】
Ｍ  耐風水性お守り
１  透明チューブ部材
１ａ、１ｂ  透明チューブ部材の端部
１ａ1、１ｂ1  透明チューブ部材の端部の環状部
２ａ、２ｂ  連結具
２ａ1、２ｂ1  連結具の鐶部
３  芯部材
３ｃ  芯部材の芯材
３ｄ  芯部材のシート材
４  守り札
５ａ、５ｂ  鳩目鋲
【図１】
0003202970.tif 000003